(57)【特許請求の範囲】
【請求項１】
２以上の壁面が接して形成される壁面コーナ部の所定高さ位置に設置される隅付壁掛衛生設備機器において、該隅付壁掛衛生設備機器は、前記壁面の所定位置に取付けられた一つの取付具によって所定位置に支持されるとともに、前記隅付壁掛衛生設備機器の自重により前記取付具の支持部を中心として生じるモーメントを前記壁面に当接させて前記隅付壁掛衛生設備機器が前記取付具から脱落することを防止する脱落防止部を設け、前記脱落防止部は、前記両壁面が接する交線部と当接する位置に設けられていることを特徴とする隅付壁掛衛生設備機器。
【請求項２】
前記脱落防止部は、前記隅付壁掛衛生設備機器を前記壁面に固定するための固定部材と係合する固定部を備えたことを特徴とする請求項１に記載の隅付壁掛衛生設備機器。
【請求項３】
前記固定部は、固定部材を挿通するための長孔の挿通孔を備えたことを特徴とする請求項２に記載の隅付壁掛衛生設備機器。
【請求項４】
前記脱落防止部は、該脱落防止部と前記隅付壁掛衛生設備機器の壁面に接する面を接地させて床面に立てた時に、前記隅付壁掛衛生設備機器が自立する長さを有することを特徴とする請求項１乃至請求項３のいずれかに記載の隅付壁掛衛生設備機器。
【発明の詳細な説明】
【０００１】
【発明の属する技術分野】
本発明は、２以上の壁面が接して形成される壁面コーナ部の所定高さ位置に設置される隅付壁掛衛生設備機器に関する。
【０００２】
【従来の技術】
従来、この種の隅付壁掛衛生設備機器は図７に示すように、螺子１８により隅付壁掛衛生設備機器１０１の上縁背面側の両壁面１４ａ、１４ｂに接する部分を固定することで壁面に設置される。また、螺子１８の腐食を防止すると共に意匠性の向上を図るために化粧キャップ１９を取着するようになっている。この種の隅付壁掛衛生設備機器１０１は、２以上の壁面が接して形成される壁面の角度と、隅付壁掛衛生設備機器１０１の両壁面Ａ、Ｂに接する部分１４ａ、１４ｂの角度に多少の差異があっても設置が可能である。
【０００３】
また、図８に示す隅付壁掛衛生設備機器１０２は、両壁面に固定した取付具７に載置して設置されたものである。この種の隅付壁掛衛生設備機器１０２は、予め固定しておいた取付具７に隅付壁掛衛生設備機器１０２を載置して設置するので、一人でも施工ができる。
【０００４】
【発明が解決しようとする課題】
しかし、図７に示す隅付壁掛衛生設備機器１０１は、施工の際、施工者が隅付壁掛衛生設備機器１０１を設置する高さに支えた状態で、螺子１８による固定を行うため、一人で施工する場合は隅付壁掛衛生設備機器１０１の重量を片腕で支持しなければならず、施工者に負担がかかる上、設置位置がずれ易いなど、施工性に問題があった。また、上縁に化粧キャップ１９を取着するため、化粧キャップ１９周りの清掃性が悪いという問題があった。
【０００５】
また、図８に示す隅付壁掛衛生設備機器１０２は、２以上の壁面が接して形成される壁面の角度と隅付壁掛衛生設備機器１０２の両壁面に接する部分１４ａ、１４ｂの角度に差異がある場合、取付具７に隅付壁掛衛生設備機器１０２を確実に載置することができず落下する恐れがあった。
【０００６】
本発明は、上記課題を解決するためになされたもので、本発明の目的は、一人でも容易に施工ができる隅付壁掛衛生設備機器を提供することにある。
【０００７】
【課題を解決するための手段】
上記課題を解決するために請求項１記載の発明は、２以上の壁面が接して形成される壁面コーナ部の所定高さ位置に設置される隅付壁掛衛生設備機器において、隅付壁掛衛生設備機器は、壁面の所定位置に取付けられた一つの取付具によって所定位置に支持されるとともに、隅付壁掛衛生設備機器の自重により取付具の支持部を中心として生じるモーメントを壁面に当接させて隅付壁掛衛生設備機器が取付具から脱落することを防止する脱落防止部を設け、前記脱落防止部は、前記両壁面が接する交線部と当接する位置に設けられていることを特徴とする。
【０００８】
そして、請求項２記載の発明は、脱落防止部に隅付壁掛衛生設備機器を前記壁面に固定するための固定部材と係合する固定部を備えたことを特徴とする。
【０００９】
そして、請求項３記載の発明は、固定部に固定部材を挿通するための長孔の挿通孔を備えたことを特徴とする。
【００１２】
そして、請求項４記載の発明は、脱落防止部が、脱落防止部と隅付壁掛衛生設備機器の壁面に接する面を接地させて床面に立てた時に、隅付壁掛衛生設備機器が自立する長さを有することを特徴とする。
【００１３】
【作用及び発明の効果】
請求項１の発明は、隅付壁掛衛生設備機器が、壁面の所定位置に取付けられた一つの取付具によって所定位置に支持されるとともに、隅付壁掛衛生設備機器の自重により前記取付具の支持部を中心として生じるモーメントを壁面に当接させて隅付壁掛衛生設備機器が取付具から脱落することを防止する脱落防止部を設けたので、一人で施工する場合でも隅付壁掛衛生設備機器を片腕で支持する必要がなくなるとともに、設置位置のずれを防止でき、施工性が向上する。また、２以上の壁面が接して形成される壁面の角度と、隅付壁掛衛生設備機器の両壁面に接する部分の角度に多少の差異があっても設置が可能である。
さらに、脱落防止部を両壁面が接する交線部と当接する位置に設けたので、脱落防止部が奥側になり使用者からは見え難くなるため、意匠性が向上する。
【００１４】
請求項２の発明は、脱落防止部に隅付壁掛衛生設備機器を前記壁面に固定するための固定部材と係合する固定部を備えたので、別に固定部を設ける必要がなく、材料の削減と意匠性の向上が可能となる。
【００１５】
請求項３の発明は、固定部に固定部材を挿通するための長孔の挿通孔を備えたので、長孔の範囲内で施工誤差が吸収でき、施工性が向上する。
【００１８】
請求項４の発明は、脱落防止部が、脱落防止部と隅付壁掛衛生設備機器の壁面に接する面を接地させて床面に立てた時に、隅付壁掛衛生設備機器が自立する長さを有するので、見えかかり面に傷を付けることなく床面に仮置き出来る。
【００１９】
【発明の実施の形態】
以下、本発明を図示された実施例に基づいて記述する。
【００２０】
図１乃至図４は、洗面所、トイレルーム等の壁面Ａと壁面Ｂが接して形成される壁面コーナ部１０に、隅付壁掛手洗器１を設置した第一の実施例を示している。隅付壁掛手洗器１は、陶器で一体に成形された直角に交わる背面１４ａ、１４ｂと給水金具取付穴３を備えた上面２０と給水金具からの吐水を受けて排水する排水口４を備えたボウル５とからなる。
【００２１】
背面１４ａには、隅付壁掛手洗器１の重心Ｇよりも上方で取付具７により支持される支持部８を備え、交線部１０ａに固定具１２を挿通するための長孔の挿通孔１１ａを開設された固定部１１を備えた脱落防止部９が下方に向かって突設されている。
【００２２】
隅付壁掛手洗器１を壁面コーナ部１０へ設置する際には、水平よりも上方に勾配された突辺７ａをもつ取付具７を、壁面Ａの所定位置に螺子６によって固定した後、この取付具７に、隅付壁掛手洗器１の支持部８を嵌め込んで載置する。この時、隅付壁掛手洗器１はその自重により取付具７の支持部８ａを中心として生じるモーメントＭによって取付具７から脱落する方向への力が働くが、交線部１０ａに突設された脱落防止部９によってモーメントＭが受けられる。
【００２３】
次に、挿通孔１１ａにフック型の固定具１２を引掛けて、固定具１２を壁面Ａに螺子１３を用いて固定することで隅付壁掛手洗器1を壁面Ａに固定する。この挿通孔１１ａは長孔形状であるので、フック型の固定具１２を壁面Ａに完全に螺子１３を用いて固定する前に隅付壁掛手洗器１を長孔方向へ移動することで、交線部１０ａに隅付壁掛手洗器１の両背面１４ａ、１４ｂの交点とを合致させることができる。
【００２４】
次に、図６に示す第二の実施例について説明する。
【００２５】
本実施例は、第一の実施例における隅付壁掛手洗器１の両背面１４ａ、１４ｂに、脱落防止部１５を追加したものである。図６において隅付壁掛手洗器１’は、脱落防止部９が突設されているとともに、両背面１４ａ、１４ｂの下方にもそれぞれ螺子１７を挿通するための挿通孔１６ａを開設された固定部１６を備えた脱落防止部１５が突設されている。
【００２６】
隅付壁掛手洗器１’を壁面コーナ部１０に設置する際には、前記設置手順に加え両背面１４ａ、１４ｂの下方に突設された脱落防止部１５の固定部１６を螺子１８によって固定することで、より確実に隅付壁掛手洗器１’を設置することができる。
【００２７】
なお、図５に示す様に、脱落防止部９と背面１４ｂとによって、背面１４を床面Ｃに接地させて仮置きしても自立が可能となる。
【００２８】
上記実施例では、陶器製の隅付壁掛手洗器の例を挙げたが、材質は陶器に限らず不飽和ポリエステルやアクリルなどの樹脂製でもよく、また、隅付壁掛衛生設備機器であれば手洗器に限定されず洗面器や流しなどのいずれでも良いことは言うまでもない。
隅付衛生設備機器の取付具の支持部を隅付衛生設備機器の重心より上方に設けたことで、脱落防止部の長さを抑えることができるため、見栄えが良くなり意匠性が向上する。
【図面の簡単な説明】
【図１】  本発明の第一の実施例を示す隅付壁掛手洗器１を壁面コーナ部１０に設置した状態を示す斜視図
【図２】  同上面図
【図３】  図２の（２）−（２）断面図
【図４】  取付具７の側面図
【図５】  背面１４ｂを床面Ｃに接地させて仮置きした状態を示す図
【図６】  本発明の第二の実施例を示す隅付壁掛手洗器１’を壁面コーナ部１０に設置した状態を示す斜視図
【図７】  従来の隅付壁掛衛生設備機器１０１の設置状態を示す正面図
【図８】  従来の隅付壁掛衛生設備機器１０２の設置状態を示す斜視図
【符号の説明】
Ａ、Ｂ…壁面
Ｃ…床面
１、１’…隅付壁掛手洗器
３…給水金具取付穴
４…排水口
５…ボウル
７…取付具
７ａ…突辺
６、１３、１７、１８…螺子
７…取付具
８…支持部
８ａ…支持部
９、１５…脱落防止部
１０…壁面コーナ部
１０ａ…交線部
１１、１６…固定部
１１ａ、１６ａ…挿通孔
１２…固定具
１４、１４ａ、１４ｂ…背面
１９…化粧キャップ
２０…上面
１０１、１０２…隅付壁掛衛生設備機器
【図１】
0004352441.tif 000002
【図２】
0004352441.tif 000003
【図３】
0004352441.tif 000004
【図４】
0004352441.tif 000005
【図５】
0004352441.tif 000006
【図６】
0004352441.tif 000007
【図７】
0004352441.tif 000008
【図８】
0004352441.tif 000009